(57)【要約】【課題】小型で安価な部品からなり、かつ、より安全性の高い送信パワーアンプの過電流・過熱保護対策が可能な無線装置を提供する。【解決手段】情報を無線信号として送信するための送信パワーアンプ２の温度、電流値に基づき、スイッチ部１１にて電源の電池１から送信パワーアンプ２に供給される電流をＯＮ／ＯＦＦする。電源の電池１とは異なる電源部１５からの低電圧の電力で動作する制御部１１を送信パワーアンプ２の近傍に配置し、制御部１２内の温度センサ１２ｂにて検知した送信パワーアンプ２の温度があらかじめ任意に設定した温度閾値を超えた場合、または、制御部１２内の電流検出部１２ａにて検知した送信パワーアンプ２の電流値があらかじめ任意に設定した電流閾値を超えた場合、制御部１２は、ＦＥＴ１３、電流モニタ部１４、制御端子１６を介して、スイッチ部１１をＯＦＦに設定し、送信パワーアンプ２への電流供給を停止させる。【選択図】        図１
2011234112.tif 000002
【特許請求の範囲】
【請求項１】
情報を無線信号として送信するための送信パワーアンプを少なくとも備えた無線装置であって、前記送信パワーアンプの温度および電源から該送信パワーアンプに供給される電流値に基づいて、該電源から該送信パワーアンプに供給される電流をＯＮ／ＯＦＦするスイッチ部を備えていることを特徴とする無線装置。
【請求項２】
前記送信パワーアンプの近傍に、該送信パワーアンプの温度を検知する温度センサと、該送信パワーアンプに流れる電流値を検知する電流検出部と、前記温度センサが検知した前記送信パワーアンプの温度と任意に設定した温度閾値とを比較するとともに、前記電流検出部が検知した前記送信パワーアンプの電流値と任意に設定した電流閾値とを比較する比較器と、を少なくとも備えた制御部を配置することを特徴とする請求項１に記載の無線装置。
【請求項３】
前記制御部の前記比較器の比較結果として、前記送信パワーアンプの温度が前記温度閾値以下の場合には、前記スイッチ部をＯＮにして、前記電源から前記送信パワーアンプに電流を供給し、一方、前記送信パワーアンプの温度が前記温度閾値を超えたことを検出した場合、前記スイッチ部をＯＦＦにして、前記電源から前記送信パワーアンプに供給する電流を遮断することを特徴とする請求項２に記載の無線装置。
【請求項４】
前記制御部の前記比較器の比較結果として、前記送信パワーアンプに流れる電流値が前記電流閾値以下の場合には、前記スイッチ部をＯＮにして、前記電源から前記送信パワーアンプに電流を供給し、一方、前記送信パワーアンプに流れる電流値が前記電流閾値を超えたことを検出した場合、前記スイッチ部をＯＦＦにして、前記電源から前記送信パワーアンプに供給する電流を遮断することを特徴とする請求項２または３に記載の無線装置。
【請求項５】
前記制御部の動作が停止した場合、前記スイッチ部がＯＦＦになり、前記電源から前記送信パワーアンプに供給する電流が遮断されることを特徴とする請求項２ないし４のいずれかに記載の無線装置。
【請求項６】
前記制御部は、前記電源とは異なる電源部から供給される低電圧の電力によって動作し、前記電源部は、前記電源からの電力によって動作することを特徴とする請求項２ないし５のいずれかに記載の無線装置。
【請求項７】
無線信号として送信する情報が存在していない期間は、前記電源部の動作を停止させることにより、前記制御部の動作を停止させることを特徴とする請求項６に記載の無線装置。
【請求項８】
前記スイッチ部は、ＯＮ抵抗が低抵抗値のスイッチング素子であり、Ｐ−ｃｈ ＦＥＴ（Field Effect Transistor）からなるＧＮＤ（Ground：グランド）接続しない電流ＯＮ／ＯＦＦ機能を有するスイッチング素子からなっていることを特徴とする請求項２ないし７のいずれかに記載の無線装置。
【請求項９】
前記制御部の前記電流検出部は、前記スイッチ部との間でカレントミラー機能を有するＰ−ｃｈ ＦＥＴと電流測定用抵抗とを直列に接続した電流モニタ部により、前記送信パワーアンプに流れる電流値を検知し、また、前記制御部の前記比較器における前記送信パワーアンプの温度の前記温度閾値との比較結果、または、前記制御部の前記比較器における前記送信パワーアンプに流れる電流値の前記電流閾値との比較結果に基づいて、前記制御部は、前記スイッチ部を、オープンドレイン形式のＮ−ｃｈ ＦＥＴおよび該Ｎ−ｃｈ ＦＥＴのドレインに直列接続された前記電流モニタ部内のカレントミラー機能を有する前記Ｐ−ｃｈ ＦＥＴを介して、ＯＮまたはＯＦＦに設定することを特徴とする請求項８に記載の無線装置。
【請求項１０】
情報を無線信号として送信するための送信パワーアンプを少なくとも備えた無線装置の過熱防止方法であって、前記送信パワーアンプの温度および電源から該送信パワーアンプに供給される電流値に基づいて、該電源から該送信パワーアンプに供給される電流をＯＮ／ＯＦＦすることを特徴とする無線装置の過熱防止方法。
【発明の詳細な説明】
【技術分野】
【０００１】
本発明は、無線装置および無線装置の過熱防止方法に関し、特に、携帯電話機、ＰＨＳ（Personal Handyphone System）端末、ＰＤＡ（Personal Data Assistance，Personal Digital Assistants：個人向けの携帯型情報通信機器）等の無線装置において好適に適用することが可能な送信パワーアンプの過電流・過熱に対する保護機構に関する。
【背景技術】
【０００２】
最近の携帯電話機、ＰＨＳ（Personal Handyphone System）端末、ＰＤＡ（Personal Data Assistance，Personal Digital Assistants：個人向けの携帯型情報通信機器）等の携帯端末を含めた各種の無線装置においては、ＣＤＭＡ（Code Division Multiple Access）等、定常的に、情報の常時送信動作を行う方式や、ＴＤＭＡ（Time Division Multiple Access）等、情報の送信動作としては間欠的ではあるものの、大電流を消費し、大きな送信出力が必要になる方式が主流となってきている。
【０００３】
このため、図２に示すように、情報を高出力の無線信号として送信するために、高送信電力の出力が可能な送信パワーアンプを無線装置に搭載するようになってきている。図２は、従来の無線装置の送信電力供給用の回路構成を示す回路図であり、電源となる電池１から高送信電力の出力が可能な送信パワーアンプ２に対して直接電力を供給するように構成されている。
【０００４】
図２のような高送信電力の回路構成においては、電池１と送信パワーアンプ２とが直接接続されている構成であり、無線装置を操作する人物に対する無線装置の過熱保護対策は一切採られていない。しかし、かかる状況で無線装置を使用していると、送信パワーアンプ２の消費電力が大きいため、送信パワーアンプ２のショート等に起因する異常発熱による熱傷（やけど）、送信パワーアンプ２の定常的な通常発熱による低温熱傷（低温やけど）等、無線装置を操作する人物の人体に被害を及ぼす場合が生じる。したがって、かかる無線装置の過電流や過熱に対して、高い安全性が求められるようになってきている。
【０００５】
その一例として、次のような回路構成を採用する無線装置も登場してきている。図３は、従来の無線装置において過電流防止対策を施した送信電力供給用の回路構成を示す回路図であり、人体に対する発熱事故を防止するために、特許文献１の特開２００５−３４１４０８号公報「携帯電話機およびその制御方法」に記載されているように、電池１から高送信電力の出力が可能な送信パワーアンプ２に対して、過電流防止用のヒューズ３を介して電力を供給するように構成している。また、図４は、従来の無線装置において過電流防止対策を施した送信電力供給用の他の回路構成を示す回路図であり、送信パワーアンプ２が適正な電圧で動作するようにして、人体に対する発熱事故を防止するために、特許文献２の特開２００２−０７６９５１号公報「送信機用電源回路」に記載されているように、電池１から高送信電力の出力が可能な送信パワーアンプ２に対して、電圧制御用のレギュレータ４を介して電力を供給するように構成している。
【先行技術文献】
【特許文献】
【０００６】
【特許文献１】特開２００５−３４１４０８号公報（第４−６頁）
【特許文献２】特開２００２−０７６９５１号公報（第４−５頁）
【発明の概要】
【発明が解決しようとする課題】
【０００７】
しかしながら、図３に示すようなヒューズ３を介在させた回路構成においては、定常的な過電流に対しては保護することができるが、瞬間的な過電流に対しては、十分な保護を行うことができない。また、ヒューズ３の断線が発生した以降においては、無線装置の通信機能を自動的に復帰させることができず、無線装置の機能保護に対する対策としては不十分である。
【０００８】
また、図４に示すようなレギュレータ４による保護機能を用いる回路構成においては、レギュレータ４自体の異常に関しては保護することができないので、過電流や過熱に対する保護機能としては不十分であり、また、低電圧動作においても、常時動作するレギュレータ４の電力損失によって、低消費電力化を図ることも困難である。
【０００９】
本発明は、かかる事情に鑑みてなされたものであり、図３や図４のような保護回路の代わりに、スイッチ部と制御部との組合せを採用することによって、小型で安価な部品からなり、かつ、より安全性の高い過電流・過熱保護対策を講じることが可能な無線装置および無線装置の過熱防止方法を提供することを、その目的としている。
【課題を解決するための手段】
【００１０】
前述の課題を解決するため、本発明による無線装置および無線装置の過熱防止方法は、主に、次のような特徴的な構成を採用している。
【００１１】
（１）本発明による無線装置は、情報を無線信号として送信するための送信パワーアンプを少なくとも備えた無線装置であって、前記送信パワーアンプの温度および電源から該送信パワーアンプに供給される電流値に基づいて、該電源から該送信パワーアンプに供給される電流をＯＮ／ＯＦＦするスイッチ部を備えていることを特徴とする。
【００１２】
（２）本発明による無線装置の過熱防止方法は、情報を無線信号として送信するための送信パワーアンプを少なくとも備えた無線装置の過熱防止方法であって、前記送信パワーアンプの温度および電源から該送信パワーアンプに供給される電流値に基づいて、該電源から該送信パワーアンプに供給される電流をＯＮ／ＯＦＦすることを特徴とする
【発明の効果】
【００１３】
本発明の無線装置および無線装置の過熱防止方法によれば、以下のような効果を奏することができる。
【００１４】
第１に、電源と送信パワーアンプとの間にスイッチ部を介在させ、かつ、送信パワーアンプの近傍に、当該送信パワーアンプの温度・電流の検知機能と、任意に設定した温度閾値・電流閾値を越える異常状態（過熱・過電流状態）が発生しているか否かを判別する比較機能とを有する制御部を備えることにより、送信パワーアンプの過熱・過電流の発生時には、送信パワーアンプへの電流供給を停止させることができ、送信パワーアンプの異常な過熱を確実に防止することができる。
【００１５】
第２に、送信パワーアンプと電池との間には、ＯＮ抵抗が低抵抗値のスイッチ部を接続することによって、送信パワーアンプへの電流供給をＯＮ／ＯＦＦしているので、送信パワーアンプの電圧低下による送信特性の劣化を確実に防止することができる。また、電池電圧の低下を見込むことも容易に可能となる。
【００１６】
第３に、制御部は、低電圧で動作することが可能であるので、送信パワーアンプへの電力供給の制御を行う回路として、従来の技術をそのまま採用したままで、より安全性の高い回路構成を実現することが可能であり、簡素化、小型化、安価が可能となる。
【図面の簡単な説明】
【００１７】
【図１】本発明に係る無線装置として過電流防止対策を施した送信電力供給用の回路構成の一例を示す回路図である。
【図２】従来の無線装置の送信電力供給用の回路構成を示す回路図である。
【図３】従来の無線装置において過電流防止対策を施した送信電力供給用の回路構成を示す回路図である。
【図４】従来の無線装置において過電流防止対策を施した送信電力供給用の他の回路構成を示す回路図である。
【発明を実施するための形態】
【００１８】
以下、本発明による無線装置および無線装置の過熱防止方法の好適な実施形態について添付図を参照して説明する。なお、本発明に係る無線装置としては、携帯電話機、ＰＨＳ（Personal Handyphone System）端末、ＰＤＡ（Personal Data Assistance，Personal Digital Assistants：個人向けの携帯型情報通信機器）、携帯ノートＰＣ（Personal Computer）、携帯音楽プレーヤ等の携帯端末装置であっても良いし、卓上に設置する固定電話機やデスクトップＰＣ、画像処理装置、情報処理装置等、各種の送信用の情報を高出力の無線信号として出力する無線通信機能を有する機器であれば、如何なる無線装置であっても構わない。
【００１９】
（本発明の特徴）
本発明の実施形態の説明に先立って、本発明の特徴についてその概要をまず説明する。本発明は、送信パワーアンプのショートやＥＳＤ（Electro‐Static Discharge：静電気放電）等に起因する過電流による発熱を保護するために、スイッチ部と制御部とからなる過電流・過熱保護回路を採用することにより、小型で安価な部品を使用することができ、かつ、人体に対する発熱事故に対してより安全性が高い無線装置を実現していることを、主要な特徴としている。
【００２０】
より具体的には、本発明は、次のような技術から構成されている。従来の回路構成においては、図３に示したようなヒューズや、図４に示したような保護機能を有するレギュレータを、電源の電池と送信パワーアンプとの間に介在させることによって保護対策を行おうとしているが、定常的なあるいは一時的な過電流に対する保護としては、その機能を実現できるものの、無線装置を利用する人物の人体に対する発熱保護機能としては不十分であった。また、電源としての電池電圧が低下してきた場合、電池と送信パワーアンプとの間にレギュレータのような消費電力が大きい保護回路を挿入することによって、送信パワーアンプの電圧がより大きく低下してしまい、その結果として、送信パワーアンプの出力特性の低下にも?がる結果を招いてしまい、電池と送信パワーアンプとの間に保護回路を挿入することは、好ましくない等の問題が発生している。
【００２１】
本発明においては、電源の電池と送信パワーアンプとの間には、例えばＰ−ｃｈ ＦＥＴ（Field Effect Transistor）等からなるＧＮＤ（Ground：グランド）接続しない電流ＯＮ／ＯＦＦ機能を有する低ＯＮ抵抗のスイッチ部を挿入し、送信パワーアンプへ電流を供給する電源（電池）とは異なる電源部から電力を供給することにより動作する温度センサにおいて、送信パワーアンプの異常温度（過熱）を検出して、該スイッチ部をオープンドレイン形式（ドレインを内部のどこにも接続することなくそのまま出力端子に引き出す形式）のＮ−ｃｈ ＦＥＴを介して制御する。
【００２２】
また、電流モニタ部として、オープンドレイン形式のＮ−ｃｈ ＦＥＴに対して、前記スイッチ部との間のカレントミラー機能を有するＰ−ｃｈ ＦＥＴと電流測定用抵抗とを直列に接続することにより、送信パワーアンプ電流をモニタすることができ、該電流モニタ部により、送信パワーアンプ電流の異常電流（過電流）を検知して、前記スイッチ部をオープンドレイン形式のＮ−ｃｈ ＦＥＴを介して制御する。
【００２３】
而して、送信パワーアンプの電圧低下による出力特性の劣化を防止することが可能で、かつ、過熱・過電流時に、送信パワーアンプへの電源供給を停止することができる過熱・過電流防止保護回路を、安価で小型な部品を用いて構成することにより、より高い安全性を確保することが可能な無線装置を実現することができる。
【００２４】
（実施形態の構成例）
次に、本発明に係る無線装置の回路構成について、その一例を、図１を用いて説明する。図１は、本発明に係る無線装置として過電流防止対策を施した送信電力供給用の回路構成の一例を示す回路図であり、無線装置の一例として、電池を電源に用いて、送信パワーアンプに電力供給を行う携帯端末装置の場合を例にとって、該携帯端末装置に搭載する送信パワーアンプの過電流・過熱保護回路の要部を一例として示している。
【００２５】
図１に示す無線装置は、電池１と送信パワーアンプ２との間の電力供給制御用として、スイッチ部１１、制御部１２、ＦＥＴ１３、電流モニタ部１４、電源部１５、を少なくとも含んで構成されており、制御部１２は、送信パワーアンプ２の発熱量を検知できるように、送信パワーアンプ２に対して熱的に近接した位置に配置されている。
【００２６】
スイッチ部１１は、電池１と送信パワーアンプ２との間に挿入されていて、制御端子１６に印加される制御信号によって、電池１から送信パワーアンプ２に対する電流経路のＯＮ／ＯＦＦを切り替えるスイッチング機能を有している。スイッチ部１１は、ＯＮ抵抗が低抵抗値のスイッチング素子として、例えばＰ−ｃｈ ＦＥＴ（Field Effect Transistor）等からなり、ＧＮＤ（Ground：グランド）接続しない電流ＯＮ／ＯＦＦ機能を有している。なお、スイッチ部１１は、Ｐ−ｃｈ ＦＥＴ以外であっても、ＯＮ抵抗が低抵抗値で類似した動作を行う素子であれば、半導体素子や機械素子を用いても構わない。
【００２７】
制御端子１６は、スイッチ部１１のＯＮ／ＯＦＦ動作を制御する端子であり、電流モニタ部１４のカレントミラーＦＥＴ１４ａのゲート端子に接続されていて、カレントミラーＦＥＴ１４ａのゲート（Ｇ）−ソース（Ｓ）間電圧Ｖｇｓと同値の電圧としている。
【００２８】
電流モニタ部１４は、オープンドレイン形式のＦＥＴ１３に対して、スイッチ部１１との間のカレントミラー機能を有するＰ−ｃｈ ＦＥＴであるカレントミラーＦＥＴ１４ａと電流測定用抵抗１４ｂとを直列に挿入して、電流測定用抵抗１４ｂの両端電圧を測定することにより、送信パワーアンプ２に流れる電流値をモニタする。
【００２９】
また、ＦＥＴ１３は、例えばオープンドレインのＮ−ｃｈ ＦＥＴからなっており、制御部１２からの制御に応じて、電流モニタ部１４のカレントミラーＦＥＴ１４ａのゲート（Ｇ）−ソース（Ｓ）間電圧Ｖｇｓを制御することにより、制御端子１６を制御して、スイッチ部１１のＯＮ／ＯＦＦを切り替えさせるためのスイッチング機能を有しており、オープンドレイン形式のドレイン（Ｄ）側は、電流モニタ部１４内の電流測定用抵抗１４ｂを介してカレントミラーＦＥＴ１４ａに接続され、ソース（Ｓ）側は、ＧＮＤ（グランド）と接続され、ゲート（Ｇ）側は、制御部１２の出力端子に接続されている。
【００３０】
また、制御部１２は、電流モニタ部１４内の電流測定用抵抗１４ｂの両端電圧を監視することにより送信パワーアンプ２に流れる電流値を検知する電流検出部１２ａ、送信パワーアンプ２の温度を検知する温度センサ１２ｂ、および、電流検出部１２ａにて検知された送信パワーアンプ２の電流値と過電流検知用としてあらかじめ任意に設定した電流閾値とを比較するとともに、温度センサ１２ｂにて検知された送信パワーアンプ２の温度と過熱検知用としてあらかじめ任意に設定した温度閾値とを比較する比較器１２ｃを、少なくとも備えている。
【００３１】
ここで、制御部１２を構成する電流検出部１２ａ、温度センサ１２ｂおよび比較器１２ｃの各回路部は、電池１からの電力で動作する電源部１５から供給される電圧（電池１とは異なる低電圧の電力）によって動作し、制御部１２は、電流検出部１２ａ、温度センサ１２ｂのそれぞれが互いに独立したパラメータである任意の電流値・任意の温度に応じて、ＦＥＴ１３のゲート（Ｇ）に接続される制御部１２の出力端子をＨｉｇｈレベル／Ｌｏｗレベルに設定する機能を有している。
【００３２】
電流検出部１２ａが検出した送信パワーアンプ２の電流値を、比較器１２ｃにおいてあらかじめ任意に設定した電流閾値と比較して、該電流閾値を超える異常電流（過電流）を検知した場合、オープンドレインのＮ−ｃｈ ＦＥＴのＦＥＴ１３を介して、例えばＰ−ｃｈ ＦＥＴ（Field Effect Transistor）等のＧＮＤ（Ground：グランド）接続しない電流ＯＮ／ＯＦＦ機能を有するスイッチ部１１を制御する。
【００３３】
同様に、温度センサ１２ｂが検出した送信パワーアンプ２の温度を、比較器１２ｃにおいてあらかじめ任意に設定した温度閾値と比較して、該温度閾値を超える異常温度（過熱）を検知した場合、オープンドレインのＮ−ｃｈ ＦＥＴのＦＥＴ１３を介して、例えばＰ−ｃｈ ＦＥＴ（Field Effect Transistor）等のＧＮＤ（Ground：グランド）接続しない電流ＯＮ／ＯＦＦ機能を有するスイッチ部１１を制御する。
【００３４】
（実施形態の動作の説明）
次に、図１に示す無線装置の動作の一例について説明する。図１に示す無線装置の制御部１２において、温度センサ１２ｂによって、近接して配置されている送信パワーアンプ２の温度を検知するとともに、電流検出部１２ａによって、カレントミラー機能を有した電流モニタ部１４内の電流測定用抵抗１４ｂの両端電圧を監視することにより、送信パワーアンプ２に流れる電流値を検知している。
【００３５】
検知された送信パワーアンプ２の温度と電流値とを、比較器１２ｃにおいて、それぞれ、任意にあらかじめ設定された温度閾値と電流閾値との比較を行うことにより、ＦＥＴ１３のゲート（Ｇ）に接続される制御部１２の出力端子をＨｉｇｈレベル／Ｌｏｗレベルに設定する。
【００３６】
ここで、制御部１２は、送信パワーアンプ２に比較して、低電圧で動作させることが可能な回路構成とすることができるため、電池１の電圧そのものではなく、電池１からの電圧で動作して、低電圧の電力を供給する電源部１５を用いて動作させる。電源部１５が出力する低電圧の電力が供給されて動作する制御部１２においては、従来の保護回路・保護機能をそのまま採用することができるので、より高い安全性を確保することができる。しかも、情報の送信がない場合には、電源部１５をＧＮＤ（グランド）接続することによって、制御部１２の動作を、電源部１５の動作とともに停止させることができるので、消費電力の削減を図ることも可能となるという付加的な効果を奏することができる。
【００３７】
比較器１２ｃにおいて、送信パワーアンプ２の温度が前記温度閾値を超える過熱を検出すると、ＦＥＴ１３のゲート（Ｇ）に接続される制御部１２の出力端子をＬｏｗレベルにして、ＦＥＴ１３のゲート（Ｇ）をＬｏｗレベルにする。その結果、ＦＥＴ１３のゲート（Ｇ）−ソース（Ｓ）間はハイインピーダンスになって、該ＦＥＴ１３に接続されている電流モニタ部１４内のカレントミラーＦＥＴ１４ａの制御端子１６はＨｉｇｈレベルになり、カレントミラー機能により、スイッチ部１１はＯＦＦになって、電池１から送信パワーアンプ２への電流供給がＯＦＦに切り替わり、送信パワーアンプ２の動作は停止する。而して、送信パワーアンプ２の前記温度閾値を超える過熱状態を解消させることができる。
【００３８】
比較器１２ｃにおいて、送信時の送信パワーアンプ２の温度が前記温度閾値以下の正常温度であることを検出すると、ＦＥＴ１３のゲート（Ｇ）に接続される制御部１２の出力端子をＨｉｇｈレベルにして、ＦＥＴ１３のゲート（Ｇ）をＨｉｇｈレベルにする。その結果、ＦＥＴ１３のゲート（Ｇ）−ソース（Ｓ）間はローインピーダンスになって、該ＦＥＴ１３に接続されている電流モニタ部１４内のカレントミラーＦＥＴ１４ａの制御端子１６はＬｏｗレベルになり、カレントミラー機能により、スイッチ部１１はＯＮになって、電池１から送信パワーアンプ２への電流供給がＯＮになる。
【００３９】
また、比較器１２ｃにおいて、送信パワーアンプ２に流れる電流値が前記電流閾値を超える過電流を検出すると、ＦＥＴ１３のゲート（Ｇ）に接続される制御部１２の出力端子をＬｏｗレベルにして、ＦＥＴ１３のゲート（Ｇ）をＬｏｗレベルにする。その結果、ＦＥＴ１３のゲート（Ｇ）−ソース（Ｓ）間はハイインピーダンスになって、該ＦＥＴ１３に接続されている電流モニタ部１４内のカレントミラーＦＥＴ１４ａの制御端子１６はＨｉｇｈレベルになり、カレントミラー機能により、スイッチ部１１はＯＦＦになって、電池１から送信パワーアンプ２への電流供給がＯＦＦに切り替わり、送信パワーアンプ２の動作は停止する。而して、送信パワーアンプ２の前記電流閾値を超える過電流状態を解消させることができる。
【００４０】
比較器１２ｃにおいて、送信時の送信パワーアンプ２に流れる電流値が前記電流閾値以下の正常電流値であることを検出すると、ＦＥＴ１３のゲート（Ｇ）に接続される制御部１２の出力端子をＨｉｇｈレベルにして、ＦＥＴ１３のゲート（Ｇ）をＨｉｇｈレベルにする。その結果、ＦＥＴ１３のゲート（Ｇ）−ソース（Ｓ）間はローインピーダンスになって、該ＦＥＴ１３に接続されている電流モニタ部１４内のカレントミラーＦＥＴ１４ａの制御端子１６はＬｏｗレベルになり、カレントミラー機能により、スイッチ部１１はＯＮになって、電池１から送信パワーアンプ２への電流供給がＯＮになる。かかる状況下においては、制御部１２の電流検出部１２ａは、電流モニタ部１４内のカレントミラーＦＥＴ１４ａによるカレントミラー機能により、電流測定用抵抗１４ｂを介して、送信パワーアンプ２に流れる電流値の検出動作を継続する。
【００４１】
なお、前述したように、情報の送信がない場合には、電源部１５がＧＮＤ（グランド）接続に切り替わる結果として、制御部１２の動作も停止し、ＦＥＴ１３のゲート（Ｇ）に接続される制御部１２の出力端子がＬｏｗレベルになり、ＦＥＴ１３のゲート（Ｇ）もＬｏｗレベルになる。その結果、ＦＥＴ１３のゲート（Ｇ）−ソース（Ｓ）間はハイインピーダンスになって、該ＦＥＴ１３に接続されている電流モニタ部１４内のカレントミラーＦＥＴ１４ａの制御端子１６はＨｉｇｈレベルになり、カレントミラー機能により、スイッチ部１１はＯＦＦになって、電池１から送信パワーアンプ２への電流供給がＯＦＦに切り替わり、送信パワーアンプ２の前記温度閾値を超える過熱状態や前記電流閾値を超える過電流状態の場合と同様に、送信パワーアンプ２の動作は停止する。而して、送信パワーアンプ２の動作の停止により、無線装置の消費電力を低減することが可能になる。
【００４２】
（実施形態の効果の説明）
以上に詳細に説明したように、本実施形態においては以下のごとき効果が得られる。
【００４３】
第１に、電源の電池１と送信パワーアンプ２との間にスイッチ部１１を介在させ、かつ、送信パワーアンプ２の近傍に、当該送信パワーアンプ２の温度・電流の検知機能と、任意に設定した温度閾値・電流閾値を越える異常状態（過熱・過電流状態）が発生しているか否かを判別する比較機能とを有する制御部１２を備えることにより、送信パワーアンプ２の過熱・過電流の発生時には、送信パワーアンプ２への電流供給を停止させることができ、送信パワーアンプ２の異常な過熱を確実に防止することができる。
【００４４】
第２に、送信パワーアンプ２と電池１との間には、ＯＮ抵抗が低抵抗値のスイッチ部１１を接続することによって、送信パワーアンプ２への電流供給をＯＮ／ＯＦＦしているので、送信パワーアンプ２の電圧低下による送信特性の劣化を確実に防止することができる。また、電池電圧の低下を見込むことも容易に可能となる。
【００４５】
第３に、制御部１２は、低電圧で動作することが可能であるので、送信パワーアンプ２への電力供給の制御を行う回路として、従来の技術をそのまま採用したままで、より安全性の高い回路構成を実現することが可能であり、簡素化、小型化、安価が可能となる。
【００４６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００４７】
１      電池
２      送信パワーアンプ
３      ヒューズ
４      レギュレータ
１１    スイッチ部
１２    制御部
１２ａ  電流検出部
１２ｂ  温度センサ
１２ｃ  比較器
１３    ＦＥＴ
１４    電流モニタ部
１４ａ  カレントミラーＦＥＴ
１４ｂ  低抵抗
１５    電源部
１６    制御端子
【図１】
2011234112.tif 000003
【図２】
2011234112.tif 000004
【図３】
2011234112.tif 000005
【図４】
2011234112.tif 000006